(57)【要約】  無線通信システムは、データ信号及び制御信号を送受信する基地局１００と移動局２００とを有する。基地局１００は、制御部１００ａと、通信部１００ｂとを有する。制御部１００ａは、ＰＤＳＣＨに関するリソース割当情報を含むＥ−ＰＤＣＣＨに対して、ＰＤＳＣＨを送信するサブフレームと一つ前のサブフレームとを跨ぐリソースであるＥ−Ｃｏｎｔｒｏｌ  ｒｅｇｉｏｎを割り当てる。通信部１００ｂは、上記Ｅ−Ｃｏｎｔｒｏｌ  ｒｅｇｉｏｎを用いてＥ−ＰＤＣＣＨを移動局２００に送信する。移動局２００は、通信部２００ｂと、制御部２００ａとを有する。通信部２００ｂは、基地局１００から送信されたＥ−ＰＤＣＣＨを、Ｅ−Ｃｏｎｔｒｏｌ  ｒｅｇｉｏｎを用いて受信する。制御部２００ａは、Ｅ−ＰＤＣＣＨに含まれる、ＰＤＳＣＨに関するリソース割当情報に基づいて、ＰＤＳＣＨを復調する。
2013046469.tif 000002
【特許請求の範囲】
【請求項１】
基地局と移動局とがデータ信号及び制御信号を送受信する無線通信システムであって
前記基地局は、
前記データ信号の復調に用いられる情報を含む前記制御信号に対して、前記データ信号を送信する時間区間と当該時間区間の一つ前の時間区間とを跨ぐリソースを割り当てる第１制御部と、
前記リソースを用いて前記制御信号を前記移動局に送信する第１通信部とを有し、
前記移動局は、
前記基地局から送信された前記制御信号を、前記時間区間と前記一つ前の時間区間とに跨る前記リソースを用いて受信する第２通信部と、
前記制御信号に含まれる前記情報に基づいて、前記データ信号を復調する第２制御部とを有することを特徴とする無線通信システム。
【請求項２】
前記基地局の第１制御部は、
前記リソースのうち前記時間区間に対応する領域と前記一つ前の時間区間に対応する領域とが周波数方向において不連続となるように、前記リソースを前記制御信号に対して割り当てることを特徴とする請求項１に記載の無線通信システム。
【請求項３】
前記基地局の第１制御部は、
移動局の処理能力を表す指標であるＵＥ（User  Equipment）カテゴリに応じて前記一つ前の時間区間における開始位置が異なる複数の前記リソースのパターンを記憶部に保持し、
前記移動局から通知された前記ＵＥカテゴリに対応する前記リソースを前記記憶部から選択し、選択した前記リソースを前記制御信号に対して割り当て、
前記基地局の第１通信部は、
前記リソースを用いて前記制御信号を前記移動局に送信することを特徴とする請求項１に記載の無線通信システム。
【請求項４】
所定値よりも高い前記ＵＥカテゴリに対応する前記リソースの開始位置は、前記一つ前の時間区間における第１の位置に設定され、
前記所定値以下である前記ＵＥカテゴリに対応する前記リソースの開始位置は、前記時間区間における、前記第１の位置よりも後方の第２の位置に設定されることを特徴とする請求項３に記載の無線通信システム。
【請求項５】
前記基地局の第１通信部は、
前記移動局固有のサーチスペースを前記第１制御部により選択された前記リソースに切り替える旨を指示するサーチスペース切替指示を前記移動局に通知し、
前記移動局の前記第２制御部は、
前記基地局から通知された前記サーチスペース切替指示で指示された前記リソースを探索して前記制御信号を復調することにより、前記制御信号に含まれる前記情報を取得することを特徴とする請求項３に記載の無線通信システム。
【請求項６】
基地局と移動局とがデータ信号及び制御信号を送受信する無線通信システムにおける前記基地局であって、
前記データ信号の復調に用いられる情報を含む前記制御信号に対して、前記データ信号を送信する時間区間と当該時間区間の一つ前の時間区間とを跨ぐリソースを割り当てる制御部と、
前記リソースを用いて前記制御信号を前記移動局に送信する通信部とを有することを特徴とする基地局。
【請求項７】
基地局と移動局とがデータ信号及び制御信号を送受信する無線通信システムにおける前記移動局であって、
前記基地局が、前記データ信号の復調に用いられる情報を含む前記制御信号に対して、前記データ信号を送信する時間区間と当該時間区間の一つ前の時間区間とを跨ぐリソースを割り当て、前記リソースを用いて前記制御信号を前記移動局に送信する場合に、前記基地局から送信された前記制御信号を、前記時間区間と前記一つ前の時間区間とを跨ぐ前記リソースを用いて受信する通信部と、
前記制御信号に含まれる前記情報に基づいて、前記データ信号を復調する制御部とを有することを特徴とする移動局。
【請求項８】
基地局と移動局とがデータ信号及び制御信号を送受信する無線通信システムにおける無線通信方法であって
前記基地局は、前記データ信号の復調に用いられる情報を含む前記制御信号に対して、前記データ信号を送信する時間区間と当該時間区間の一つ前の時間区間とを跨ぐリソースを割り当て、
前記基地局は、前記リソースを用いて前記制御信号を前記移動局に送信し、
前記移動局は、前記基地局から送信された前記制御信号を、前記時間区間と前記一つ前の時間区間とに跨る前記リソースを用いて受信し、
前記移動局は、前記制御信号に含まれる前記情報に基づいて、前記データ信号を復調する
ことを特徴とする無線通信方法。
【発明の詳細な説明】
【技術分野】
【０００１】
本発明は、無線通信システム、基地局、移動局及び無線通信方法に関する。
【背景技術】
【０００２】
従来、次世代移動通信システムであるＬＴＥ（Long  Term  Evolution）やＬＴＥ-Advancedにおいては、基地局と移動局とが各種の物理チャネルを用いて通信する。これらの物理チャネルには、ユーザデータを含むデータ信号の伝送等に用いられる共有チャネルや、データ信号に関するリソース割当情報等の制御情報を含む制御信号の伝送に用いられる制御チャネルがある。このような物理チャネルのうち共有チャネルを用いて基地局からデータ信号が送信される場合、ＬＴＥでは、データ信号を受信した移動局がこのデータ信号に対する応答の送信を予め定められた時間内に完了することが規定されている。このため、移動局側では、データ信号の復調を限られた時間内で完了することが望まれる。【０００３】
データ信号の復調を限られた時間内で完了する技術として、基地局側において、データ信号に関するリソース割当情報を含む制御信号に対して、このデータ信号を送信する時間区間（サブフレーム）前方のリソースを割り当てる技術がある。かかる技術では、基地局が、サブフレーム前方のリソースを用いて制御信号を移動局に送信する。一方、移動局は、まず、サブフレーム前方のリソースに分散配置された制御信号を復調して、データ信号に関するリソース割当情報を取得する。そして、移動局は、取得したリソース割当情報に基づいて、データ信号を復調する。【０００４】
一方、近年、ＬＴＥでは、同時に多数のユーザ間で通信が行われる際に制御チャネルの容量が不足することが懸念されており、この制御チャネルの容量不足を解消する技術として、制御チャネルを物理共有チャネル領域へ拡張させる技術が検討されている。この技術では、共有チャネルであるＰＤＳＣＨ（Physical  Downlink  Shared  CHannel）のリソースに対して、制御チャネルの一つであるＰＤＣＣＨ（Physical  Downlink  Control  CHannel）を周波数多重することにより、ＰＤＣＣＨを拡張する。なお、以下では、拡張されたＰＤＣＣＨを、Ｅ−ＰＤＣＣＨ（Enhanced-PDCCH）と呼ぶこととする。
【先行技術文献】
【非特許文献】
【０００５】
【非特許文献１】3GPP  TS  36.211  V10.2.0  (2011-06)
【非特許文献２】3GPP  R1-111636  (2011-05)
【発明の概要】
【発明が解決しようとする課題】
【０００６】
しかしながら、上述した従来技術では、移動局側でのデータ信号の復調に伴う負荷が増大するという問題がある。【０００７】
すなわち、制御チャネルを共有チャネルへ拡張させる従来技術では、Ｅ−ＰＤＣＣＨが、通常のＰＤＣＣＨとともに、一つのサブフレーム全体に分散配置される。しかしながら、この態様では、一つのサブフレーム分の信号を受信した場合に初めて、移動局は、Ｅ−ＰＤＣＣＨにおける制御信号を復調し、ＰＤＳＣＨに関するリソース割当情報を取得することとなる。つまり、この態様では、移動局は、一つのサブフレーム分の信号の受信が完了するまでＰＤＳＣＨに関するリソース割当情報を取得することができず、ＰＤＳＣＨにおけるデータ信号の復調を開始することができない。このため、この態様では、データ信号の復調を限られた時間内で完了するために、移動局は、ＰＤＳＣＨにおけるデータ信号の復調を高速に実行することとなる。結果として、移動局側でのデータ信号の復調に伴う負荷が増大するおそれがある。【０００８】
開示の技術は、上記に鑑みてなされたものであって、移動局側でのデータ信号の復調に伴う負荷を低減することができる無線通信システム、基地局、移動局及び無線通信方法を提供することを目的とする。
【課題を解決するための手段】
【０００９】
本願の開示する無線通信システムは、一つの態様において、データ信号及び制御信号を送受信する基地局と移動局とを有する。基地局は、第１制御部と、第１通信部とを有する。第１制御部は、前記データ信号の復調に用いられる情報を含む前記制御信号に対して、前記データ信号を送信する時間区間と当該時間区間の一つ前の時間区間とを跨ぐリソースを割り当てる。第１通信部は、前記リソースを用いて前記制御信号を前記移動局に送信する。移動局は、第２通信部と、第２制御部とを有する。第２通信部は、前記基地局から送信された前記制御信号を、前記時間区間と前記一つ前の時間区間とに跨る前記リソースを用いて受信する。第２制御部は、前記制御信号に含まれる前記情報に基づいて、前記データ信号を復調する。
【発明の効果】
【００１０】
本願の開示する無線通信システムの一つの態様によれば、移動局側でのデータ信号の復調に伴う負荷を低減することができるという効果を奏する。
【図面の簡単な説明】
【００１１】
【図１】図１は、実施例１に係る無線通信システムの構成例を示す図である。
【図２】図２は、各物理チャネルのマッピング方法を説明するための図である。
【図３】図３は、ＰＤＣＣＨのマッピング方法を説明するための図である。
【図４】図４は、ＨＡＲＱプロセスにおける下り共有チャネルＰＤＳＣＨの送受信とＨＡＲＱ応答の送受信との時間関係を表す図である。
【図５】図５は、移動局における下り信号の受信処理を説明するための図である。
【図６】図６は、ＦＤＭアプローチによるＥ−ＰＤＣＣＨの一例を示す図である。
【図７】図７は、Ｅ−ＰＤＣＣＨの導入に伴う問題点を説明するための図である。
【図８】図８は、実施例１に係る無線通信システムにおけるＥ−ＰＤＣＣＨ送信方法の原理を説明するための図である。
【図９】図９は、実施例１におけるＥ−Ｃｏｎｔｒｏｌ  ｒｅｇｉｏｎの配置例を示す図である。
【図１０】図１０は、実施例１におけるＨＡＲＱプロセスにおける下り共有チャネルＰＤＳＣＨの送受信とＨＡＲＱ応答の送受信との時間関係を表す図である。
【図１１】図１１は、実施例１に係る基地局の構成を示す図である。
【図１２】図１２は、実施例１に係る移動局の構成を示す図である。
【図１３】図１３は、実施例１に係る無線通信システムの動作を示す図である。
【図１４】図１４は、実施例２に係る無線通信システムにおけるＥ−ＰＤＣＣＨ送信方法の原理を説明するための図である。
【図１５】図１５は、実施例２に係る基地局の構成を示す図である。
【図１６】図１６は、実施例２に係る移動局の構成を示す図である。
【図１７】図１７は、実施例２に係る無線通信システムの動作を示す図である。
【発明を実施するための形態】
【００１２】
以下に、本願の開示する無線通信システム、基地局、移動局及び無線通信方法の実施例について、図面を参照しながら詳細に説明する。なお、この実施例によりこの発明が限定されるものではない。
【実施例１】
【００１３】
図１は、実施例１に係る無線通信システムの構成例を示す図である。図１に示す無線通信システムは、基地局１００と、移動局２００とを有する。基地局１００と移動局２００は、各種の物理チャネルを用いてデータ信号及び制御信号を送受信する。例えば、基地局１００は、物理チャネルのうち共有チャネルを用いて、ユーザデータを含むデータ信号を移動局２００へ送信し、制御チャネルを用いて、データ信号に関するリソース割当情報を含む制御信号を移動局２００へ送信する。【００１４】
次に、本実施例の無線通信システムによる無線通信方法を説明する前に、その前提となる技術について説明する。まず、各物理チャネルの構成と、時間・周波数リソースへのマッピング方法について、図２を参照して説明する。図２は、各物理チャネルのマッピング方法を説明するための図である。【００１５】
図２に示すように、時間方向では、１ｍｓ長のサブフレームが１４ＯＦＤＭ（Orthogonal  Frequency  Division  Multiplexing）シンボルで構成されており、前方のｎ（＝１〜３）個のＯＦＤＭシンボルには、制御チャネルがマッピングされる。制御チャネルは、例えば、ＰＣＦＩＣＨ（Physical  Control  Format  Indicator  CHannel）、ＰＨＩＣＨ（Physical  Hybrid  ARQ  Indicator  CHannel）、ＰＤＣＣＨ（Physical  Downlink  Control  CHannel）である。【００１６】
ｎの値は、ＣＦＩ（Control  Format  Indicator）と呼ばれる制御情報として定義される。残りのＯＦＤＭシンボルには、ユーザデータの伝送等に用いられる共有チャネルＰＤＳＣＨ（Physical  Downlink  Shared  CHannel）がマッピングされる。周波数方向では、周波数リソースの割当て単位として、ＲＢ（Resource  Block）が１２サブキャリアで構成されており、各ユーザ向けの共有チャネルがＲＢ単位で周波数多重されている。また、チャネル推定等に用いられるセル固有の参照信号（Cell-specific  RS（Reference  Signal））が、時間、周波数方向に疎らにマッピングされる。なお、時間・周波数リソースの最小単位として、１ＯＦＤＭシンボル、１サブキャリアで囲まれる領域であるＲＥ（Resource  Element）が定義されている。また、制御チャネルのマッピング単位として、ＲＳを除いて周波数方向で連続する４ＲＥにより構成されるＲＥＧ（Resource  Element  Group）が定義されている。【００１７】
次に、上述の各物理チャネルのうち、特に制御チャネルのマッピング方法について、詳述する。ＰＣＦＩＣＨは、ＣＦＩの伝送に用いられる物理チャネルである。ＰＣＦＩＣＨ用の４つのＲＥＧは、サブフレーム内の先頭のＯＦＤＭシンボルにおいて、セルＩＤ（IDentity）に依存するサブキャリア位置を起点とし、システム帯域幅内において略等間隔に分散してマッピングされる。【００１８】
ＰＨＩＣＨは、上り共有チャネルに関するＡＣＫ／ＮＡＣＫ情報を伝送するのに用いられる物理チャネルである。上位レイヤから通知されるパラメータＮｇに依存してＰＨＩＣＨグループ数が求まり、ＰＨＩＣＨグループ毎に３個のＲＥＧが用いられる。３個のＲＥＧは、ＰＣＦＩＣＨがマッピングされていないＲＥＧの中で、セルＩＤに依存するサブキャリア位置を起点として、システム帯域幅内に、略等間隔に分散してマッピングされる。【００１９】
ＰＤＣＣＨは、報知情報やユーザデータに関するスケジューリング情報を伝送するのに用いられる物理チャネルである。図３は、ＰＤＣＣＨのマッピング方法を説明するための図である。各ＰＤＣＣＨの使用するリソースの単位として、ＣＣＥ（Control  Channel  Element）が定義されており、ＣＣＥは、９ＲＥＧ（＝３６ＲＥ）に対応する。アグリゲーションレベル（以下、「ＡＬ」と記す。）は、ＰＤＣＣＨの使用するＣＣＥ数、つまり拡散率に相当するパラメータである。ＡＬは、基地局が無線チャネル状態等に応じて｛１，２，４，８｝の中から設定する。各ＰＤＣＣＨは、適切なオフセットを加えて多重され、ＱＰＳＫ（Quadrature  Phase  Shift  Keying）で変調される。各ＰＤＣＣＨは、４個の変調シンボル単位でのインタリーブが行われた後、ＰＣＦＩＣＨ、ＰＨＩＣＨがマッピングされていないＲＥＧにマッピングされる。【００２０】
次に、上述の各物理チャネルのうち、特に共有チャネルＰＤＳＣＨの自動再送（ＨＡＲＱ：Hybrid  Automatic  Repeat  Request）プロセスについて説明する。共有チャネルＰＤＳＣＨを用いて基地局からデータ信号が送信される場合、ＬＴＥにおけるＨＡＲＱプロセスでは、データ信号を受信した移動局がこのデータ信号に対応する応答の送信を予め定められた時間内に完了することが規定されている。図４は、ＨＡＲＱプロセスにおける下り共有チャネルＰＤＳＣＨの送受信とＨＡＲＱ応答の送受信との時間関係を表す図である。【００２１】
例えば、ＨＡＲＱプロセスにおいて、基地局が、サブフレーム（時間区間）＃ｎ（ただし、ｎは１以上の整数）でＰＤＳＣＨを送信すると、移動局は、このＰＤＳＣＨの送達確認を表すＨＡＲＱ応答を上りリンクの制御チャネルで送信する。このＨＡＲＱ応答の送信は、サブフレーム＃（ｎ＋４）で実行されることが、ＬＴＥの仕様で規定されている。このため、移動局側では、ＰＤＳＣＨの復調を、サブフレーム＃ｎの末尾からサブフレーム＃（ｎ＋４）の先頭までの限られた時間内で完了することが望まれる。【００２２】
なお、図４の例において、上りのリンクの信号の送信タイミングは、下りリンクと上りリンク間の伝搬遅延を考慮して調整される。【００２３】
また、図４の例において、基地局は、サブフレーム＃（ｎ＋４）でＨＡＲＱ応答を受信すると、このＨＡＲＱプロセスにおける次のＰＤＳＣＨを送信する。具体的には、基地局は、ＨＡＲＱ応答がＮＡＣＫを表す場合には、このＨＡＲＱプロセスで前回送信したデータ信号に基づくＰＤＳＣＨを送信し、ＨＡＲＱ応答がＡＣＫを表す場合には、新規のデータ信号に基づくＰＤＳＣＨを送信する。このＰＤＳＣＨの送信タイミングは、ＬＴＥの仕様では規定されていないが、最も早く送信できるタイミングは、サブフレーム＃（ｎ＋８）であると考えられる。【００２４】
このように、ＬＴＥにおけるＨＡＲＱプロセスにおいて、移動局はデータ信号の復調を限られた時間内で完了することが望まれる。ＬＴＥでは、データ信号の復調を限られた時間内で完了するために、基地局側における下り信号の送信処理及び移動局における下り信号の受信処理を工夫している。例えば、基地局が、データ信号に関するリソース割当情報を含む制御信号に対して、このデータ信号を送信するサブフレーム前方のリソースを割り当て、サブフレーム前方のリソースを用いて制御信号を移動局に送信する。一方、移動局は、図５に示すような受信処理を行うことにより、データ信号の復調を限られた時間内で完了する。図５は、移動局における下り信号の受信処理を説明するための図である。【００２５】
図５において、移動局は、まず、サブフレーム前方のリソースに分散配置されたＰＤＣＣＨを復調して、ＰＤＳＣＨに関するリソース割当情報を取得する（Ｓ１１０）。そして、移動局は、取得したリソース割当情報に基づいて、受信信号からＰＤＳＣＨの信号成分であるデータ信号を復調する（Ｓ１１１）。なお、一つのＰＤＳＣＨは、誤り訂正符号化の処理単位である少なくとも一つの符号化ブロック（ＣＢ＃０，ＣＢ＃１，ＣＢ＃２，ＣＢ＃３，…）を含んでおり、各符号化ブロックは時間方向に前詰めで順番に配置されている。したがって、移動局は、ＰＤＳＣＨの信号成分全てを受信するのを待たずに、一つの符号化ブロックを受信した時点でデータ信号の復調を開始することができる。このような工夫により、移動局は、データ信号の復調を限られた時間内で完了することができる。【００２６】
一方で、ＬＴＥにおいては、近年の制御チャネルの容量不足を解消するために、制御チャネルを物理共有チャネル領域へ拡張させるＦＤＭ（Frequency  Division  Multiplexing）アプローチの概念が提案されている。図６は、ＦＤＭアプローチによるＥ−ＰＤＣＣＨの一例を示す図である。図６に示すように、ＦＤＭアプローチでは、共有チャネルであるＰＤＳＣＨのＲＢに対して、制御チャネルの一つであるＰＤＣＣＨを周波数多重することにより、ＰＤＣＣＨを拡張する。以下では、物理共有チャネル領域に拡張されたＰＤＣＣＨを、Ｅ−ＰＤＣＣＨと呼ぶこととする。【００２７】
ここで、Ｅ−ＰＤＣＣＨの導入に伴う問題点について説明する。図７は、Ｅ−ＰＤＣＣＨの導入に伴う問題点を説明するための図である。図７に示すように、ＦＤＭアプローチでは、Ｅ−ＰＤＣＣＨが、通常のＰＤＣＣＨとともに、一つのサブフレーム（例えば、サブフレーム＃ｎ）全体に分散配置されることが想定されている。【００２８】
ただし、図７の態様では、一つのサブフレーム分の信号を受信した場合に初めて、移動局は、Ｅ−ＰＤＣＣＨにおける制御信号を復調し、ＰＤＳＣＨに関するリソース割当情報を取得することとなる（Ｓ１２１）。つまり、図７の態様では、移動局は、一つのサブフレーム分の信号の受信が完了するまでＰＤＳＣＨに関するリソース割当情報を取得することができず、ＰＤＳＣＨにおけるデータ信号の復調を開始することができない。このため、図７の態様では、データ信号の復調を限られた時間内で完了するために、移動局は、ＰＤＳＣＨにおけるデータ信号の復調を高速に実行することとなる（Ｓ１２２）。【００２９】
すなわち、図７の態様では、移動局側でのデータ信号の復調に伴う負荷が増大するおそれがある。そこで、本実施例では、移動局側でのデータ信号の復調に伴う負荷を低減することができるように、Ｅ−ＰＤＣＣＨの送信方法を工夫した。【００３０】
次に、本実施例に係る無線通信システムにおける無線通信方法（Ｅ−ＰＤＣＣＨの送信方法）について説明する。図８は、実施例１に係る無線通信システムにおけるＥ−ＰＤＣＣＨ送信方法の原理を説明するための図である。図８において、Ｅ−ＰＤＣＣＨが、あるサブフレーム＃ｎのＲＢと、サブフレーム＃ｎの一つ前のサブフレーム＃（ｎ−１）のＲＢとに分散配置されている。【００３１】
本実施例では、基地局１００は、まず、ＰＤＳＣＨにおけるデータ信号に関するリソース割当情報を含むＥ−ＰＤＣＣＨに対して、データ信号を送信するサブフレーム＃ｎとサブフレーム＃（ｎ−１）とを跨ぐリソースを割り当てる（Ｓ１）。ここでは、基地局１００は、リソースのうちサブフレーム＃ｎに対応する領域１０と、サブフレーム＃（ｎ−１）に対応する領域２０とが周波数方向において不連続となるように、リソースをＥ−ＰＤＣＣＨに割り当てる。そして、基地局１００は、Ｅ−ＰＤＣＣＨに割り当てたリソースを用いてＥ−ＰＤＣＣＨにおける制御信号を移動局２００に送信する（Ｓ２）。【００３２】
次いで、移動局２００は、基地局１００から送信されたＥ−ＰＤＣＣＨ（制御信号）を、サブフレーム＃ｎとサブフレーム＃（ｎ−１）とに跨るリソースを用いて受信する。そして、移動局２００は、受信したＥ−ＰＤＣＣＨを復調し、ＰＤＳＣＨに関するリソース割当情報を取得する（Ｓ３）。なお、この時点では、一つのサブフレーム＃ｎの信号の受信は未だ完了していない。【００３３】
次いで、移動局２００は、取得したリソース割当情報に基づいて、ＰＤＳＣＨを復調する（Ｓ４）。すなわち、移動局２００がリソース割当情報を取得した時点（Ｓ３）では、一つのサブフレーム＃ｎの信号の受信は未だ完了していないにも関わらず、移動局２００は、ＰＤＳＣＨにおけるデータ信号の復調を開始することが可能となる。このようにすることによって、本実施例では、移動局２００側でのデータ信号の復調に伴う負荷を低減することができる。【００３４】
ここで、サブフレーム＃ｎとサブフレーム＃（ｎ−１）とを跨ぐリソースの具体的な配置例について説明する。以下では、サブフレーム＃ｎとサブフレーム＃（ｎ−１）とを跨ぐリソースを、Ｅ−Ｃｏｎｔｒｏｌ  ｒｅｇｉｏｎと定義する。図９は、実施例１におけるＥ−Ｃｏｎｔｒｏｌ  ｒｅｇｉｏｎの配置例を示す図である。なお、図９は、送信アンテナ数が４であり、Ｒｅｌｅａｓｅ  ８  Ｃｏｎｔｒｏｌ  ｒｅｇｉｏｎとして３ＯＦＤＭシンボルが使用される様子を示す。【００３５】
図９において、Ｃｅｌｌ−ｓｐｅｃｉｆｉｃ  ＲＳに関しては、使用されるＲＥの数が送信アンテナ数に応じて異なり、マッピング位置がセルＩＤに応じて周波数方向にシフトしている。また、チャネル品質測定用の参照信号であるＣＳＩ（Channel  State  Information）−ＲＳに関しては、使用されるＲＥが一部に限定され、送信周期などのパターンは上位レイヤにより設定される。したがって、他の物理チャネルが使用していないＲＥＧが存在する。かかるＲＥＧの範囲のうちサブフレーム＃ｎのＰＤＳＣＨに対応するＥ−ＰＤＣＣＨがマッピングされる時間範囲が、Ｅ−Ｃｏｎｔｒｏｌ  ｒｅｇｉｏｎとして設定される。Ｅ−Ｃｏｎｔｒｏｌ  ｒｅｇｉｏｎは、例えば、上位レイヤにより設定される。図９の例では、サブフレーム＃（ｎ−１）の後方の５ＯＦＤＭシンボルからサブフレーム＃ｎの前方の９ＯＦＤＭシンボルまでの時間範囲が、Ｅ−Ｃｏｎｔｒｏｌ  ｒｅｇｉｏｎとして設定されている。【００３６】
ここで、本実施例のＥ−ＰＤＣＣＨの送信方法が実行された場合のＨＡＲＱプロセスについて説明する。図１０は、実施例１におけるＨＡＲＱプロセスにおける下り共有チャネルＰＤＳＣＨの送受信とＨＡＲＱ応答の送受信との時間関係を表す図である。【００３７】
図１０において、図４のケースと同様に、移動局２００側では、ＰＤＳＣＨの復調を、サブフレーム＃ｎの末尾からサブフレーム＃（ｎ＋４）の先頭までの限られた時間内で完了することが望まれる。かかる状況において、本実施例の無線通信システムは、上述したＥ−ＰＤＣＣＨの送信方法を実行する。すなわち、移動局２００は、基地局１００から送信されたＥ−ＰＤＣＣＨを、サブフレーム＃ｎとサブフレーム＃（ｎ−１）とに跨るリソースを用いて受信する。そして、移動局２００は、受信したＥ−ＰＤＣＣＨを復調し、ＰＤＳＣＨに関するリソース割当情報を取得する。これにより、移動局２００がリソース割当情報を取得した時点では、一つのサブフレーム＃ｎの信号の受信は未だ完了していないにも関わらず、移動局２００は、ＰＤＳＣＨにおけるデータ信号の復調を開始することが可能となる。言い換えると、移動局２００は、ＰＤＳＣＨの復調の開始タイミングを早めることが可能となる。このため、移動局２００は、ＰＤＳＣＨにおけるデータ信号の復調に対して許容される時間を十分に確保することができ、結果として、移動局２００側でのデータ信号の復調に伴う負荷を低減することができる。【００３８】
次に、本実施例の無線通信方法（Ｅ−ＰＤＣＣＨ送信方法）を実現する無線通信システムの構成について説明する。図１１は、実施例１に係る基地局１００の構成を示す図である。図１１に示すように、基地局１００は、制御部１００ａと、通信部１００ｂとを有する。制御部１００ａは、スケジューラ部１０１と、データ信号生成部１０２と、制御信号生成部１０３と、参照信号生成部１０４と、バッファ部１０５とを有する。また、制御部１００ａは、物理チャネル多重部１０６と、上り制御信号復調部１０８と、ＩＦＦＴ（Inversed  Fast  Fourier  Transform）部１０９とを有する。通信部１００ｂは、受信ＲＦ（Radio  Frequency）部１０７と、送信ＲＦ部１１０とを有する。これら各構成部分は、一方向又は双方向に、信号やデータの入出力が可能なように接続されている。なお、物理的には、制御部１００ａは、デジタル回路やＤＳＰ（Digital  Signal  Processor）、ＣＰＵ（Central  Processing  Unit）等により構成され、通信部１００ｂは、アンプやフィルタを含むアナログ回路等により構成される。【００３９】
スケジューラ部１０１は、各移動局から通知されたチャネル品質情報（ＣＱＩ：Channel  Quality  Indicator）に基づいて、Ｅ−ＰＤＣＣＨ及びＰＤＳＣＨのユーザスケジューリング処理を行う。具体的には、スケジューラ部１０１は、各移動局向けの制御信号及びデータ信号への周波数リソースの割り当て処理、ＭＣＳ（Modulation  and  Coding  Scheme）選択処理、情報ビット数等の決定処理をユーザスケジューリング処理として行う。また、スケジューラ部１０１は、ユーザスケジューリング処理を行う場合に、Ｅ−Ｃｏｎｔｒｏｌ  ｒｅｇｉｏｎをＥ−ＰＤＣＣＨに割り当てる。そして、スケジューラ部１０１は、ユーザスケジューリング処理の結果をリソース割当情報として出力する。このリソース割当情報は、データ信号の復調に用いられる情報の一例である。データ信号の復調に用いられる情報としては、例えば、リソース割当情報、ＭＣＳ情報、変調方式、符号化率、適用したプリコーディングの情報等が挙げられる。【００４０】
データ信号生成部１０２は、リソース割当情報及びユーザデータに基づいて、ＰＤＳＣＨにおけるデータ信号を生成する。制御信号生成部１０３は、リソース割当情報を含む制御情報に基づいて、Ｅ−ＰＤＣＣＨ等における制御信号を生成する。参照信号生成部１０４は、参照信号を生成する。【００４１】
バッファ部１０５は、ＰＤＳＣＨの送信タイミングよりも当該ＰＤＳＣＨに関するリソース割当情報を含むＥ−ＰＤＣＣＨの送信タイミングが早くなるように、ＰＤＳＣＨを所定の時間遅延させる。物理チャネル多重部１０６は、各物理チャネルを周波数多重する。【００４２】
受信ＲＦ部１０７は、上りリンクの受信信号に対して、無線周波数からベースバンドへの変換を行い、直交復調、Ａ／Ｄ（Analog  to  Digital）を行う。受信ＲＦ部１０７は、アンテナＡ１を有し、上り信号を受信する。上り制御信号復調部１０８は、上り制御信号の復調を行い、制御情報であるＣＱＩを復元する。ＩＦＦＴ部１０９は、逆フーリエ変換（ＩＦＦＴ）を行い、ＣＰ（Cyclic  Prefix）を付加する。送信ＲＦ部１１０は、Ｄ／Ａ変換、直交変調を行うと共に、ベースバンドから無線周波数への変換を行い、電力を増幅して下りリンクの信号を送信する。送信ＲＦ部１１０は、アンテナＡ２を有し、下り信号を送信する。【００４３】
次に、移動局２００の構成を説明する。図１２は、実施例１に係る移動局２００の構成を示す図である。移動局２００は、制御部２００ａと、通信部２００ｂとを有する。制御部２００ａは、ＦＦＴ部２０２と、制御信号復調部２０３と、バッファ部２０４と、データ信号復調部２０５と、チャネル推定部２０６と、ＣＱＩ算出部２０７と、上り制御信号生成部２０８とを有する。通信部２００ｂは、受信ＲＦ部２０１と、送信ＲＦ部２０９とを有する。これら各構成部分は、一方向又は双方向に、信号やデータの入出力が可能なように接続されている。【００４４】
受信ＲＦ部２０１は、下りリンクの受信信号に対して、無線周波数からベースバンドへの変換を行い、直交復調、Ａ／Ｄ変換を行う。受信ＲＦ部２０１は、アンテナＡ３により下り信号を受信する。ＦＦＴ部２０２は、典型的なＯＦＤＭ方式と同様、受信信号の切出しタイミングを検出しＣＰを除去した後、この検出結果を、フーリエ変換（ＦＦＴ）により周波数領域の受信信号に変換する。【００４５】
制御信号復調部２０３は、受信信号からＥ−Ｃｏｎｔｒｏｌ  ｒｅｇｉｏｎに埋め込まれたＥ−ＰＤＣＣＨを抽出し、このＥ−ＰＤＣＣＨにおける制御信号をチャネル推定値に基づいて復調することにより、制御情報としてリソース割当情報を復元する。制御信号復調部２０３は、復元したリソース割当情報をデータ信号復調部２０５に通知する。【００４６】
バッファ部２０４は、Ｅ−ＰＤＣＣＨにおける制御信号が復調されている期間に、受信信号を保持する。【００４７】
データ信号復調部２０５は、リソース割当情報に基づいて、受信信号からデータ信号を抽出し、データ信号をチャネル推定値に基づいて復号することにより、データ情報を復元する。データ情報には、ユーザデータが含まれる。【００４８】
チャネル推定部２０６は、受信信号から抽出された参照信号と既知の参照信号のレプリカとの相関をとることにより、チャネル推定値を得る。ＣＱＩ算出部２０７は、移動局２００の接続しているセルのチャネル推定値を用いて、チャネル品質情報（ＣＱＩ）を算出する。上り制御信号生成部２０８は、ＣＱＩなどで構成される制御情報に基づいて、上り制御信号を生成する。送信ＲＦ部２０９は、Ｄ／Ａ（Digital  to  Analog）変換及び直交変調を行った後、ベースバンドから無線周波数への変換を行い、電力を増幅して上りリンクの信号を送信する。送信ＲＦ部２０９は、アンテナＡ４により上り信号を送信する。なお、物理的には、制御部２００ａは、デジタル回路やＤＳＰ、ＣＰＵ等により構成され、通信部２００ｂは、アンプやフィルタを含むアナログ回路等により構成される。【００４９】
次に、動作を説明する。本実施例では、図１に示したような、基地局１００と移動局２００とが各種の物理チャネルを用いてデータ信号及び制御信号を送受信する無線通信システムを想定する。図１３は、実施例１に係る無線通信システムの動作を示す図である。なお、以下では、移動局２００が基地局１００のセルに接続しているものとし、移動局２００が接続している基地局１００のセルを接続セルと呼ぶこととする。【００５０】
Ｓ１１では、基地局１００は、参照信号を送信する。Ｓ１２では、移動局２００は、接続セルの参照信号の受信品質をチャネル品質情報（ＣＱＩ）として測定する。Ｓ１３では、移動局２００は、ＣＱＩを基地局１００に報告する。【００５１】
Ｓ１４では、基地局１００は、移動局２００から報告されたＣＱＩに基づいて、Ｅ−ＰＤＣＣＨ及びＰＤＳＣＨのユーザスケジューリング処理を行う。具体的には、基地局１００は、ユーザスケジューリング処理を行う場合に、ＰＤＳＣＨに関するリソース割当情報を含むＥ−ＰＤＣＣＨに対して、Ｅ−Ｃｏｎｔｒｏｌ  ｒｅｇｉｏｎを割り当てる。例えば、基地局１００は、サブフレーム＃ｎに対応する領域とサブフレーム＃（ｎ−１）に対応する領域とが周波数方向において不連続となるように、Ｅ−Ｃｏｎｔｒｏｌ  ｒｅｇｉｏｎを割り当てる。【００５２】
Ｓ１５では、基地局１００は、Ｅ−Ｃｏｎｔｒｏｌ  ｒｅｇｉｏｎを用いてＥ−ＰＤＣＣＨを送信する。Ｓ１６では、基地局１００は、ＰＤＳＣＨの送信タイミングよりもＥ−ＰＤＣＣＨの送信タイミングが早くなるように、ＰＤＳＣＨの送信を所定の時間遅延させる。Ｓ１７では、基地局１００は、ＰＤＳＣＨを送信する。【００５３】
Ｓ１８では、移動局２００は、Ｓ１５にて送信されたＥ−ＰＤＣＣＨにおける制御信号とＳ１７にて送信されたＰＤＳＣＨにおけるデータ信号とを受信信号として一時的にバッファ部２０４に保持する。また、移動局２００は、受信信号からＥ−Ｃｏｎｔｒｏｌ  ｒｅｇｉｏｎに埋め込まれたＥ−ＰＤＣＣＨを復号し、ＰＤＳＣＨに関するリソース割当情報を取得する。すなわち、移動局２００は、Ｅ−Ｃｏｎｔｒｏｌ  ｒｅｇｉｏｎを用いてＥ−ＰＤＣＣＨの復号を行うことにより、ＰＤＳＣＨ送信用のサブフレームの信号の受信が完了する前に、ＰＤＳＣＨに関するリソース割当情報を取得することができる。【００５４】
Ｓ１９では、移動局２００は、ＰＤＳＣＨに関するリソース割当情報に基づいて、バッファ部２０４に保持された受信信号からＰＤＳＣＨを抽出し、データ信号を復号することにより、ユーザデータを得る。すなわち、ＰＤＳＣＨ送信用のサブフレームの信号の受信が完了する前に、ＰＤＳＣＨに関するリソース割当情報を取得することにより、移動局２００は、ＰＤＳＣＨにおけるデータ信号の復調を早期に開始することができる。これにより、移動局２００側でのデータ信号の復調に伴う負荷が低減される。【００５５】
上述したように、実施例１に係る無線通信システムは、データ信号及び制御信号を送受信する基地局１００と移動局２００とを有する。基地局１００は、制御部１００ａと、通信部１００ｂとを有する。制御部１００ａは、ＰＤＳＣＨに関するリソース割当情報を含むＥ−ＰＤＣＣＨに対して、ＰＤＳＣＨを送信するサブフレームと一つ前のサブフレームとを跨ぐリソースであるＥ−Ｃｏｎｔｒｏｌ  ｒｅｇｉｏｎを割り当てる。通信部１００ｂは、上記Ｅ−Ｃｏｎｔｒｏｌ  ｒｅｇｉｏｎを用いてＥ−ＰＤＣＣＨを移動局２００に送信する。移動局２００は、通信部２００ｂと、制御部２００ａとを有する。通信部２００ｂは、基地局１００から送信されたＥ−ＰＤＣＣＨを、Ｅ−Ｃｏｎｔｒｏｌ  ｒｅｇｉｏｎを用いて受信する。制御部２００ａは、Ｅ−ＰＤＣＣＨに含まれる、ＰＤＳＣＨに関するリソース割当情報に基づいて、ＰＤＳＣＨを復調する。これにより、無線通信システムは、移動局２００側のデータ信号の復調に伴う負荷を軽減することができる。【００５６】
また、実施例１では、基地局１００の制御部１００ａは、あるサブフレームに対応する領域と一つ前のサブフレームに対応する領域とが周波数方向において不連続となるように、Ｅ−Ｃｏｎｔｒｏｌ  ｒｅｇｉｏｎをＥ−ＰＤＣＣＨに対して割り当てる。これにより、一つのＥ−ＰＤＣＣＨを、互いに離れた二つの周波数帯の無線チャネルを用いて伝搬させることができる。その結果、周波数ダイバーシチ利得の向上を図ることができる。
【実施例２】
【００５７】
実施例２では、実施例１に係る無線通信システムに、Ｅ−ＰＤＣＣＨに割り当てるＥ−Ｃｏｎｔｒｏｌ  ｒｅｇｉｏｎを適応的に制御する技術を適用した例を説明する。すなわち、実施例１では、無線通信システムの基地局１００は、各移動局用のＥ−ＰＤＣＣＨに対して、一つのパターンのＥ−Ｃｏｎｔｒｏｌ  ｒｅｇｉｏｎを割り当てるものとした。しかしながら、移動局の種別に関わらずＥ−Ｃｏｎｔｒｏｌ  ｒｅｇｉｏｎを固定的に割り当てると、例えばＥ−ＰＤＣＣＨの受信対象となる移動局の処理能力が低い場合には、Ｅ−ＰＤＣＣＨの送信タイミングを早める基地局１００側の負担が増大する懸念がある。そこで、本実施例に係る無線通信システムでは、移動局の種別に応じてＥ−Ｃｏｎｔｒｏｌ  ｒｅｇｉｏｎのパターンを制御する。【００５８】
まず、本実施例に係る無線通信システムにおける無線通信方法（Ｅ−ＰＤＣＣＨの送信方法）について説明する。図１４は、実施例２に係る無線通信システムにおけるＥ−ＰＤＣＣＨ送信方法の原理を説明するための図である。【００５９】
本実施例に係る無線通信システムの基地局は、移動局のＵＥ（User  Equipment）カテゴリに応じてサブフレームにおける開始位置が異なる２つのＥ−Ｃｏｎｔｒｏｌ  ｒｅｇｉｏｎ３０，４０のパターンを所定の記憶部に保持する。ここで、ＵＥカテゴリは、ＬＴＥ（3GPP  TS  36.306  V10.2.0  (2011-06)参照）において規定された、移動局の処理能力を表す指標である。ＬＴＥでは、移動局のバッファサイズに応じて複数のＵＥカテゴリが設定されている。したがって、ＵＥカテゴリが高いほど、すなわち、バッファサイズが大きい移動局ほど、ＰＤＳＣＨの復調に伴う移動局の処理量が大きくなる。その一方、ＵＥカテゴリが低いほど、すなわち、バッファサイズが小さい移動局ほど、ＰＤＳＣＨの復調に伴う移動局の処理量が小さくなる。【００６０】
図１４において、Ｅ−Ｃｏｎｔｒｏｌ  ｒｅｇｉｏｎ３０は、ＵＥカテゴリが所定値よりも高い移動局に対応するリソースである。Ｅ−Ｃｏｎｔｒｏｌ  ｒｅｇｉｏｎ３０の開始位置は、サブフレーム＃（ｎ−１）における前方の位置３１に設定されている。また、Ｅ−Ｃｏｎｔｒｏｌ  ｒｅｇｉｏｎ４０は、ＵＥカテゴリが所定値以下である移動局に対応するリソースである。Ｅ−Ｃｏｎｔｒｏｌ  ｒｅｇｉｏｎ４０は、サブフレーム＃（ｎ−１）における、位置３１よりも後方の位置４１に設定されている。【００６１】
本実施例では、基地局は、まず、移動局から通知されたＵＥカテゴリに対応するＥ−Ｃｏｎｔｒｏｌ  ｒｅｇｉｏｎを記憶部から選択し、Ｅ−ＰＤＣＣＨに割り当てる（Ｓ１ａ）。具体的には、基地局は、ＵＥカテゴリが所定値よりも高い場合には、Ｅ−Ｃｏｎｔｒｏｌ  ｒｅｇｉｏｎ３０を選択し、Ｅ−ＰＤＣＣＨに割り当てる。一方、基地局は、ＵＥカテゴリが所定値以下である場合には、Ｅ−Ｃｏｎｔｒｏｌ  ｒｅｇｉｏｎ４０を選択し、Ｅ−ＰＤＣＣＨに割り当てる。【００６２】
次いで、基地局は、選択したＥ−Ｃｏｎｔｒｏｌ  ｒｅｇｉｏｎを用いて、Ｅ−ＰＤＣＣＨを移動局に送信する（Ｓ２ａ）。具体的には、基地局は、Ｅ−Ｃｏｎｔｒｏｌ  ｒｅｇｉｏｎ３０を用いて、ＵＥカテゴリが所定値よりも高い移動局に対して、Ｅ−ＰＤＣＣＨを送信する。これにより、ＵＥカテゴリが高く、ＰＤＳＣＨの復調に伴う処理量が大きい移動局ほど、基地局からのＥ−ＰＤＣＣＨの送信タイミングが早くなり、結果として、移動局は、ＰＤＳＣＨの復調の開始タイミングを早めることが可能となる。一方、基地局は、Ｅ−Ｃｏｎｔｒｏｌ  ｒｅｇｉｏｎ４０を用いて、ＵＥカテゴリが所定値以下である移動局に対してＥ−ＰＤＣＣＨを送信する。これにより、ＵＥカテゴリが低く、ＰＤＳＣＨの復調に伴う処理量が小さい移動局ほど、基地局からのＥ−ＰＤＣＣＨの送信タイミングが遅くなり、結果として、Ｅ−ＰＤＣＣＨの送信に伴う基地局側の負荷を低減することが可能となる。【００６３】
次に、本実施例の無線通信方法（Ｅ−ＰＤＣＣＨ送信方法）を実現する無線通信システムの構成について説明する。図１５は、実施例２に係る基地局３００の構成を示す図である。図１５に示すように、基地局３００は、制御部３００ａと、通信部３００ｂとを有する。制御部３００ａは、スケジューラ部３０１と、データ信号生成部３０２と、制御信号生成部３０３と、参照信号生成部３０４と、バッファ部３０５とを有する。また、制御部３００ａは、物理チャネル多重部３０６と、上り制御信号復調部３０８と、ＩＦＦＴ部３０９とを有する。通信部３００ｂは、受信ＲＦ部３０７と、送信ＲＦ部３１０とを有する。これら各構成部分は、一方向又は双方向に、信号やデータの入出力が可能なように接続されている。なお、物理的には、制御部３００ａは、デジタル回路やＤＳＰ、ＣＰＵ等により構成され、通信部３００ｂは、アンプやフィルタを含むアナログ回路等により構成される。【００６４】
実施例２に係る基地局３００は、実施例１に係る基地局１００と同様の構成を有する。したがって、同様の構成要素には、末尾が同一の参照符号を付すとともに、その詳細な説明は省略する。【００６５】
具体的には、実施例２に係る基地局３００は、実施例１に係る基地局１００に対応する。また、基地局３００の制御部３００ａと、通信部３００ｂとは、基地局１００の制御部１００ａと、通信部１００ｂとにそれぞれ対応する。また、基地局３００のスケジューラ部３０１と、データ信号生成部３０２と、制御信号生成部３０３とは、基地局１００のスケジューラ部１０１と、データ信号生成部１０２と、制御信号生成部１０３とにそれぞれ対応する。また、参照信号生成部３０４と、バッファ部３０５とは、参照信号生成部１０４と、バッファ部１０５とにそれぞれ対応する。また、物理チャネル多重部３０６と、上り制御信号復調部３０８と、ＩＦＦＴ部３０９とは、物理チャネル多重部１０６と、上り制御信号復調部１０８と、ＩＦＦＴ部１０９とにそれぞれ対応する。また、受信ＲＦ部３０７と、送信ＲＦ部３１０とは、受信ＲＦ部１０７と、送信ＲＦ部１１０とにそれぞれ対応する。【００６６】
ここで、実施例２に係る基地局３００と、実施例１に係る基地局１００との主要な差異について説明する。上り制御信号復調部３０８は、上り制御信号の復調を行い、制御情報であるＣＱＩ及びＵＥカテゴリを復元し、スケジューラ部３０１へ通知する。【００６７】
スケジューラ部３０１は、ＵＥカテゴリに応じてサブフレームにおける開始位置が異なる複数のＥ−Ｃｏｎｔｒｏｌ  ｒｅｇｉｏｎを内部の記憶部に保持する。スケジューラ部３０１は、ユーザスケジューリング処理を行う場合に、制御信号復調部３０８から通知されたＵＥカテゴリに対応するＥ−Ｃｏｎｔｒｏｌ  ｒｅｇｉｏｎを内部の記憶部から選択する。スケジューラ部３０１は、選択したＥ−Ｃｏｎｔｒｏｌ  ｒｅｇｉｏｎからＥ−ＰＤＣＣＨ用のリソースを確保する。また、スケジューラ部３０１は、ＰＤＳＣＨを用いて伝送する情報として、Ｅ−Ｃｏｎｔｒｏｌ  ｒｅｇｉｏｎの識別情報を含むサーチスペース（ＳＳ：Search  Space）切替指示をデータ信号生成部３０２へ転送する。このＳＳ切替指示は、移動局がＥ−ＰＤＣＣＨの復号に際して探索するリソースの範囲であるＳＳをＥ−Ｃｏｎｔｒｏｌ  ｒｅｇｉｏｎに切り替える旨を指示するものである。【００６８】
図１６は、実施例２に係る移動局４００の構成を示す図である。図１６に示すように、移動局４００は、制御部４００ａと、通信部４００ｂとを有する。制御部４００ａは、ＦＦＴ部４０２と、制御信号復調部４０３と、バッファ部４０４と、データ信号復調部４０５と、チャネル推定部４０６と、ＣＱＩ算出部４０７と、上り制御信号生成部４０８と、ＵＥカテゴリ記憶部４１０を有する。通信部４００ｂは、受信ＲＦ部４０１と、送信ＲＦ部４０９とを有する。これら各構成部分は、一方向又は双方向に、信号やデータの入出力が可能なように接続されている。なお、物理的には、制御部４００ａは、デジタル回路やＤＳＰ、ＣＰＵ等により構成され、通信部４００ｂは、アンプやフィルタを含むアナログ回路等により構成される。【００６９】
実施例２に係る移動局４００は、実施例１に係る移動局２００と同様の構成を有する。したがって、同様の構成要素には、末尾が同一の参照符号を付すとともに、その詳細な説明は省略する。【００７０】
具体的には、実施例２に係る移動局４００は、実施例１に係る移動局２００に対応する。また、移動局４００の制御部４００ａと、通信部４００ｂとは、移動局２００の制御部２００ａと、通信部２００ｂとにそれぞれ対応する。また、移動局４００のＦＦＴ部４０２と、制御信号復調部４０３と、バッファ部４０４と、データ信号復調部４０５とは、移動局２００のＦＦＴ部２０２と、制御信号復調部２０３と、バッファ部２０４と、データ信号復調部２０５とにそれぞれ対応する。また、チャネル推定部４０６と、ＣＱＩ算出部４０７と、上り制御信号生成部４０８とは、チャネル推定部２０６と、ＣＱＩ算出部２０７と、上り制御信号生成部２０８とにそれぞれ対応する。また、受信ＲＦ部４０１と、送信ＲＦ部４０９とは、受信ＲＦ部２０１と、送信ＲＦ部２０９とにそれぞれ対応する。【００７１】
ここで、実施例２に係る移動局４００と、実施例１に係る移動局２００との主要な差異について説明する。ＵＥカテゴリ記憶部４１０は、ＵＥカテゴリを記憶する。上り制御信号生成部４０８は、ＵＥカテゴリ記憶部４１０から読み出したＵＥカテゴリとＣＱＩとで構成される制御情報に基づいて、上り制御信号を生成する。【００７２】
データ信号復調部４０５は、受信信号からデータ信号を抽出し、データ信号をチャネル推定値に基づいて復号することにより、ユーザデータ及びＳＳ切替指示を復元する。データ信号復調部４０５は、ＳＳ切替指示を復元した場合には、復元したＳＳ切替指示を制御信号復調部４０３に通知する。【００７３】
制御信号復調部４０３は、ＳＳ切替指示で指示されたＥ−Ｃｏｎｔｒｏｌ  ｒｅｇｉｏｎを探索してＥ−ＰＤＣＣＨを復調することにより、リソース割当情報を復元する。制御信号復調部４０３は、復元したリソース割当情報をデータ信号復調部４０５に通知する。【００７４】
次に、動作を説明する。本実施例では、基地局３００と移動局４００とが各種の物理チャネルを用いてデータ信号及び制御信号を送受信する無線通信システムを想定する。図１７は、実施例２に係る無線通信システムの動作を示す図である。なお、以下では、移動局４００が基地局３００のセルに接続しているものとし、移動局４００が接続している基地局３００のセルを接続セルと呼ぶこととする。【００７５】
Ｓ２１では、移動局４００は、ＵＥカテゴリ記憶部４１０からＵＥカテゴリを読み出し、基地局３００に通知する。【００７６】
Ｓ２２では、基地局３００は、移動局４００から通知されたＵＥカテゴリに対応するＥ−Ｃｏｎｔｒｏｌ  ｒｅｇｉｏｎを内部の記憶部から選択する。図１４の例では、基地局３００は、移動局４００のＵＥカテゴリが所定値よりも高い場合には、Ｅ−Ｃｏｎｔｒｏｌ  ｒｅｇｉｏｎ３０を選択する。一方、基地局３００は、移動局４００のＵＥカテゴリが所定値以下である場合には、Ｅ−Ｃｏｎｔｒｏｌ  ｒｅｇｉｏｎ４０を選択する。【００７７】
Ｓ２３では、基地局３００は、Ｓ２２にて選択したＥ−Ｃｏｎｔｒｏｌ  ｒｅｇｉｏｎの識別情報を含むＳＳ切替指示を移動局４００に通知する。【００７８】
Ｓ２４では、基地局３００は、参照信号を送信する。Ｓ２５では、移動局４００は、接続セルの参照信号の受信品質をチャネル品質情報（ＣＱＩ）として測定する。Ｓ２６では、移動局４００は、ＣＱＩを基地局３００に報告する。【００７９】
Ｓ２７では、基地局３００は、移動局４００から報告されたＣＱＩに基づいて、Ｅ−ＰＤＣＣＨ及びＰＤＳＣＨのユーザスケジューリング処理を行う。具体的には、基地局３００は、ユーザスケジューリング処理を行う場合に、Ｓ２２にて選択したＥ−Ｃｏｎｔｒｏｌ  ｒｅｇｉｏｎからＥ−ＰＤＣＣＨ用のリソースを確保する。【００８０】
Ｓ２８では、基地局３００は、Ｅ−Ｃｏｎｔｒｏｌ  ｒｅｇｉｏｎを用いてＥ−ＰＤＣＣＨを送信する。図１４の例では、基地局は、Ｅ−Ｃｏｎｔｒｏｌ  ｒｅｇｉｏｎ３０を用いて、ＵＥカテゴリが所定値よりも高い移動局４００に対して、Ｅ−ＰＤＣＣＨを送信する。一方、基地局３００は、Ｅ−Ｃｏｎｔｒｏｌ  ｒｅｇｉｏｎ４０を用いて、ＵＥカテゴリが所定値以下である移動局４００に対してＥ−ＰＤＣＣＨを送信する。【００８１】
Ｓ２９では、基地局３００は、ＰＤＳＣＨの送信タイミングよりもＥ−ＰＤＣＣＨの送信タイミングが早くなるように、ＰＤＳＣＨの送信を所定の時間遅延させる。Ｓ３０では、基地局３００は、ＰＤＳＣＨを送信する。【００８２】
Ｓ３１では、移動局４００は、Ｓ２８にて送信されたＥ−ＰＤＣＣＨにおける制御信号とＳ３０にて送信されたＰＤＳＣＨにおけるデータ信号とを受信信号として一時的にバッファ部４０４に保持する。また、移動局４００は、Ｓ２３にて基地局３００から通知されたＳＳ切替指示で指示されたＥ−Ｃｏｎｔｒｏｌ  ｒｅｇｉｏｎを探索してＥ−ＰＤＣＣＨを復号し、ＰＤＳＣＨに関するリソース割当情報を取得する。すなわち、移動局４００は、Ｅ−Ｃｏｎｔｒｏｌ  ｒｅｇｉｏｎを用いてＥ−ＰＤＣＣＨの復号を行うことにより、ＰＤＳＣＨ送信用のサブフレームの信号の受信が完了する前に、ＰＤＳＣＨに関するリソース割当情報を取得することができる。これにより、ＵＥカテゴリが高く、ＰＤＳＣＨの復調に伴う処理量が大きい移動局４００ほど、基地局３００からのＥ−ＰＤＣＣＨの送信タイミングが早くなり、結果として、移動局４００は、ＰＤＳＣＨの復調の開始タイミングを早めることが可能となる。一方で、ＵＥカテゴリが低く、ＰＤＳＣＨの復調に伴う処理量が小さい移動局４００ほど、基地局３００からのＥ−ＰＤＣＣＨの送信タイミングが遅くなり、結果として、Ｅ−ＰＤＣＣＨの送信に伴う基地局３００側の負荷を低減することが可能となる。【００８３】
Ｓ３２では、移動局４００は、ＰＤＳＣＨに関するリソース割当情報に基づいて、バッファ部４０４に保持された受信信号からＰＤＳＣＨを抽出し、データ信号を復号することにより、ユーザデータを得る。すなわち、ＰＤＳＣＨ送信用のサブフレームの信号の受信が完了する前に、ＰＤＳＣＨに関するリソース割当情報を取得することにより、移動局４００は、ＰＤＳＣＨにおけるデータ信号の復調を早期に開始することができる。これにより、移動局４００側でのデータ信号の復調に伴う負荷が低減される。【００８４】
上述したように、実施例２に係る無線通信システムは、基地局３００と、移動局４００とを有する。基地局３００は、制御部３００ａと、通信部３００ｂとを有する。制御部３００ａは、ＵＥカテゴリに応じてサブフレームにおける開始位置が異なる複数のＥ−Ｃｏｎｔｒｏｌ  ｒｅｇｉｏｎのパターンを内部の記憶部に保持する。制御部３００ａは、移動局４００から通知されたＵＥカテゴリに対応するＥ−Ｃｏｎｔｒｏｌ  ｒｅｇｉｏｎを上記記憶部から選択し、選択したＥ−Ｃｏｎｔｒｏｌ  ｒｅｇｉｏｎをＥ−ＰＤＣＣＨに対して割り当てる。通信部３００ｂは、Ｅ−Ｃｏｎｔｒｏｌ  ｒｅｇｉｏｎを用いてＥ−ＰＤＣＣＨを移動局４００に送信する。これにより、ＵＥカテゴリが高く、ＰＤＳＣＨの復調に伴う処理量が大きい移動局４００ほど、基地局３００からのＥ−ＰＤＣＣＨの送信タイミングが早くなり、結果として、移動局４００は、ＰＤＳＣＨの復調の開始タイミングを早めることが可能となる。一方で、ＵＥカテゴリが低く、ＰＤＳＣＨの復調に伴う処理量が小さい移動局４００ほど、基地局３００からのＥ−ＰＤＣＣＨの送信タイミングが遅くなり、結果として、Ｅ−ＰＤＣＣＨの送信に伴う基地局３００側の負荷を低減することが可能となる。
【符号の説明】
【００８５】
１００、３００  基地局
１００ａ、３００ａ  制御部
１００ｂ、３００ｂ  通信部
１０１、３０１  スケジューラ部
１０２、３０２  データ信号生成部
１０３、３０３  制御信号生成部
１０４、３０４  参照信号生成部
１０５、３０５  バッファ部
１０６、３０６  物理チャネル多重部
１０７、３０７  受信ＲＦ部
１０８、３０８  上り制御信号復調部
１０９、３０９  ＩＦＦＴ部
１１０、３１０  送信ＲＦ部
２００、４００  移動局
２００ａ、４００ａ  制御部
２００ｂ、４００ｂ  通信部
２０１、４０１  受信ＲＦ部
２０２、４０２  ＦＦＴ部
２０３、４０３  制御信号復調部
２０４、４０４  バッファ部
２０５、４０５  データ信号復調部
２０６、４０６  チャネル推定部
２０７、４０７  ＣＱＩ算出部
２０８、４０８  上り制御信号生成部
２０９、４０９  送信ＲＦ部
４１０  ＵＥカテゴリ記憶部
【図１】
2013046469.tif 000003
【図２】
2013046469.tif 000004
【図３】
2013046469.tif 000005
【図４】
2013046469.tif 000006
【図５】
2013046469.tif 000007
【図６】
2013046469.tif 000008
【図７】
2013046469.tif 000009
【図８】
2013046469.tif 000010
【図９】
2013046469.tif 000011
【図１０】
2013046469.tif 000012
【図１１】
2013046469.tif 000013
【図１２】
2013046469.tif 000014
【図１３】
2013046469.tif 000015
【図１４】
2013046469.tif 000016
【図１５】
2013046469.tif 000017
【図１６】
2013046469.tif 000018
【図１７】
2013046469.tif 000019
【国際調査報告】
2013046469.tif 000020
2013046469.tif 000021